(57)【要約】本発明は、白熱ランプ（２）及びガス放電ランプ（３）と、整流器（４）と、エネルギー蓄積手段（５）と、点灯装置（６）とを有する混合光ランプ（１）に関する。高圧放電は、１８０Ｖの動作電圧を有し、これは、ガス放電ランプ（３）の放電管を、具体的には１５３ミクロモル／ｃｍ３の多量の水銀で満たすことにより達成される。このようにして、全光束は、動作状態で得られる。
2007506239.tif 000002
【特許請求の範囲】
【請求項１】
白熱ランプ及びガス放電ランプと、整流器と、エネルギー蓄積手段と、点灯装置とを有する混合光ランプであって、
前記ガス放電ランプは、７６から２３０ミクロモル／ｃｍ３の水銀充填材を有することを特徴とする混合光ランプ。
【請求項２】
前記ガス放電ランプは、１３３から１７３ミクロモル／ｃｍ３の水銀充填材を有することを特徴とする、請求項１記載の混合光ランプ。
【請求項３】
前記ガス放電ランプは、１５３ミクロモル／ｃｍ３の水銀充填材を有することを特徴とする、請求項２記載の混合光ランプ。
【請求項４】
前記ガス放電ランプは、ヨウ化ナトリウム及び希土類ハロゲン化物の混合体を有する充填材を有することを特徴とする、請求項１記載の混合光ランプ。
【請求項５】
前記ガス放電ランプは、ヨウ化タリウム（ＴｌＩ）を有する充填材を有することを特徴とする、請求項１記載の混合光ランプ。
【請求項６】
前記ガス放電ランプの放電管は、酸化アルミニウムセラミックを有することを特徴とする、請求項１記載の混合光ランプ。
【請求項７】
白熱ランプ及びガス放電ランプと、整流器と、エネルギー蓄積手段と、点灯装置とを有する混合光ランプであって、
動作状態で、５５％から９５％、望ましくは６０％から９０％の電圧及び具体的には全電圧の８２％は、前記ガス放電ランプへ印加されることを特徴とする混合光ランプ。
【請求項８】
白熱ランプ及びガス放電ランプと、整流器と、エネルギー蓄積手段と、点灯装置とを有する混合光ランプであって、
動作状態で、１６０Ｖから２００Ｖ、望ましくは１７０Ｖから１９０Ｖの電圧及び具体的には１８０Ｖは、前記ガス放電ランプへ印加されることを特徴とする混合光ランプ。
【発明の詳細な説明】
【技術分野】
【０００１】
本発明は、白熱ランプ及びガス放電ランプと、整流器と、エネルギー蓄積手段と、点灯装置とを有する混合光ランプに関する。
【背景技術】
【０００２】
高圧放電ランプを安定させる簡単な方法は、混合光ランプ又は単一光源の形をとる。この場合、白熱フィラメントとして作動するタングステン線は、高輝度放電（ＨＩＤ）ランプに直列接続される。この種の混合光ランプは、ＤＥ３２２４５７５Ａ１から知られる。ＨＩＤランプを起動して、それを動作させ続けるために、相当数の電気回路が動作しなければならない。また、ＨＩＤランプの寿命は非常に短く、結局、それは混合光ランプの欠点をもたらす。
【発明の開示】
【発明が解決しようとする課題】
【０００３】
従って、本発明は、簡単な回路により動作可能なようガス放電ランプを設計し、且つ、期待耐用年数が長いガス放電ランプを明細に述べることを目的とする。また、全光束は高くなければならない
【課題を解決するための手段】
【０００４】
上記目的は、請求項１記載の特徴に基づいて達成される。本発明に従って、ガス放電ランプは、８０〜２３０ミクロモル／ｃｍ３の水銀、有利に１８０〜２３０ミクロモル／ｃｍ３の水銀、及び特に１５３ミクロモル／ｃｍ３の水銀で満たされている。線間電圧の起こり得る変動を考慮して、高圧放電に対して選ばれる動作電圧は、１８０Ｖであるよう選ばれる。これは、多量の、具体的には１５３ミクロモル／ｃｍ３の水銀でガス放電ランプのアーク管容積を満たすことにより達成可能である。
【０００５】
４．４ｍｍの内径と１２ｍｍの内部長さを有する放電管（以下、エンベロープ又はアーク管とも呼ばれる。）の容積は、Ｖ＝１８２ｍｍ３となる。根拠として低温充満圧とすると、充填材は、５．６ｍｇの水銀（Ｈｇ）と、６．３ｍｇのヨウ化ナトリウム（ＮａＩ）と、１．２ｍｇのヨウ化タリウム（ＴｌＩ）と、２．５ｍｇのヨウ化ジスプロシウム（ＤｙＩ３）と、４００ミリバール（ｍｂａｒ）のアルゴン（Ａｒ）とを有する。充填材の単位体積当たりの量として、これは、以下の量を与える：
Ｈｇ：１５３ミクロモル／ｃｍ３
ＮａＩ：２３１ミクロモル／ｃｍ３
ＴｌＩ：２０ミクロモル／ｃｍ３
ＤｙＩ３：２５ミクロモル／ｃｍ３
Ａｒ：１５．９ミクロモル／ｃｍ３。
【０００６】
しかし、これは、多数の可能な充填材のうちの１つに過ぎない。ＤｙＩ３の代わりに、照明産業で知られる、例えば希土類ハロゲン化物ＨｏＩ３、ＴｍＩ３、ＣｅＩ３等のような他の発光材も使用されても良い。その場合、量は、同じく、２５ミクロモル／ｃｍ３である。これらと同様に、ＮａＩ、ＴｌＩ、ＩｎＩ（ヨウ化インジウム）及びＮａＩ／ＳｎＩ２（ヨウ化ストロンチウム）混合体のような所謂分子発光材のような、所謂３ライン発光材類がある。本発明の原理は、全てのこれらのランプ充填材に等しく適用することができる。充填材に含まれる量の上限は、およそ±５０％であり、このようにして、ランプパラメータの適切な範囲が補われる。
【０００７】
ランプは、約３１１ボルトのピーク電圧がピーク値電圧としてキャパシタの両端に存在するので、従来のアンテナ点灯により点灯されうる。
【０００８】
１つの利点は、ランプシステムがオン切り替え時に即座に発光することである。オン切り替え過程で、高圧ガス放電に亘る電圧降下は、およそ２０Ｖの実効（ｒｍｓ）電圧である。これは、電極間の全ての降下を表す。従って、線間電圧との差は、その差は２００Ｖに等しいが、白熱フィラメントへ印加される。従って、この電圧における白熱フィラメントの抵抗値に依存して、０．７Ａの電流が流れる。従って、白熱フィラメントで生じた電力は１４０Ｗである。これは、およそ１７００ルーメンの光束に相当する。一方で、この時点でのガス放電からの光束は、無視できるほどに非常に小さい。
【０００９】
高圧ガス放電へ供給された１４Ｗの起動電力により、アーク管の壁面温度は時間と共に上昇し、それに伴って、水銀の蒸発が起こる。そのため、高圧ガス放電の燃焼電圧が大きくなる。これは、白熱フィラメントの特性が正であるから、白熱フィラメント両端の電圧と、同時に電流とを下げる。電流降下は、高圧ランプに供給される総体的な電力が上がる程である。最終的に、この過程は、全ての水銀が完全に蒸発したので、更なる上昇が高圧ランプ両端の電圧で可能でない安定動作状態にシステムを安定させる。その場合、最終的な電流は０．４Ａであり、従って、高圧ランプにより生ずる電力は７２Ｗである。一方、白熱ランプでは、電力は１６Ｗしかない。従って、全電力は８８Ｗである。連続動作において、高圧ガス放電からの光束は６４８０ルーメンであり、白熱フィラメントからの光束は１９２ルーメンしかない。従って、全光束は６６７２ルーメンである。これは、６６７２ｌｍ／８８Ｗ＝７６ｌｍ／Ｗの総体的な発光効率に相当する。従って、システムのオン切り替え状態とその最終状態との間で、光束は、およそ２分の期間で１７００から６６７２ルーメンに増大する。
【００１０】
ランプシステムは、石英中の純水素高圧ガス放電には基づかないが、代わりに、酸化アルミニウムセラミックが、アーク管材として有利に使用される。酸化アルミニウムセラミックは、また、焼結セラミック物質若しくは濃焼結酸化アルミニウム、又は多結晶アルミナ（省略形、ＰＣＡ。）とも呼ばれ、その化学式は、Ａｌ２Ｏ３である。石英のアーク管と対照的に、高圧ランプの色特性及びその有効性の両方で重要な改善を実現する金属ハロゲン塩が、その場合に加えられ得る。ランプ寿命の全体に亘って、一定の燃焼電圧がＰＣＡアーク管の場合には可能であるが、石英ランプの場合には可能ではない。これは、時間の経過と共に、ヨウ素のようなハロゲン化物が石英ランプのアーク管の壁を通して拡散し、その結果、燃焼電圧が増大するためである。ＰＣＡアーク管により、他方では、この拡散現象が発生しない。
【００１１】
本発明のこれら及び他の態様を、後述する実施例を参照して説明し、明らかとする。
【発明を実施するための最良の形態】
【００１２】
図１は、白熱ランプ２と、ガス放電ランプ３と、整流器４と、エネルギー蓄積手段５と、点灯装置６とを有する混合光ランプ１を示す。整流器４は、４個のダイオード７〜１０を有し、その入力端は、端子１１及び１２により交流線間電圧源へ接続可能である。エネルギー蓄積手段として作動するキャパシタ５は、整流器４の二次側の出力部１３及び１４へ接続されている。白熱ランプ２及びガス放電ランプ３は、直列であって、整流器４の出力部１３、１４へ接続されている。即ち、キャパシタ５とは並列である。白熱ランプ２及び点灯装置６を有する第２の直列回路は、また、出力部１３及び１４へ接続されている。点灯装置６は、制限抵抗器１５と、ツェナーダイオード１６と、キャパシタ１７と、アンテナ９を有するコイル１８とを有する。
【００１３】
一次側で、整流器４は、２２０Ｖの線間電圧へ直接的に接続されている。二次側には、２２μＦのキャパシタ５が存在し、それと並列に、ハロゲンランプ２の白熱フィラメントが高圧ガス放電ランプ３と直列接続されている。高圧ガス放電ランプ３は、４．４ｍｍの内径、０．８ｍｍの壁厚及び１２ｍｍの内部長さを有する酸化アルミニウムアーク管を有する。端部の寸法は２．０ｍｍであり、この端部の反対側には、電極を囲み、長さが１４ｍｍある末端部が配置されている。アーク管の充填材は、５．６ｍｇの水銀と、１０ｍｇのＮａＩ／ＴｌＩ／ＤｙＩ３の混合体とを有する。アーク管は、真空にされた外部エンベロープ内に置かれている。
【図面の簡単な説明】
【００１４】
【図１】混合光ランプの回路図である。
【図１】
2007506239.tif 000003
【国際調査報告】
2007506239.tif 000004
2007506239.tif 000005
2007506239.tif 000006
2007506239.tif 000007